(57)【要約】【課題】本発明は、吸水口から離れた広範な領域からの水底汚水を吸水口に導入可能として吸込管や吸水管を頻繁に移動させることなく水底汚水を吸引できる水底汚水吸引装置の提供を課題とする。【解決手段】上壁に貫通孔を備え、複数の側壁に開口部を有してなる水底に設置される薄箱状の筐体と、前記貫通孔に上方から筐体内に貫装され筐体内に流入する汚水を吸引するための吸引用パイプと、該吸引パイプに吸水ホースを介して接続された陸上設置の吸水ポンプとで構成されてなる水底汚水吸引装置、又は前記筐体の貫通孔の上方に筐体内に流入する汚水を吸引するための水中ポンプが取り付けられてなる水底汚水吸引装置による。【選択図】  図１
2019218918.tif 000002
【特許請求の範囲】
【請求項１】
上壁に貫通孔を備え、複数の側壁に開口部を有してなる水底に設置される薄箱状の筐体と、前記貫通孔に上方から筐体内に貫装され筐体内に流入する汚水を吸引するための吸引用パイプと、該吸引パイプに吸水ホースを介して接続された陸上設置の吸水ポンプとで構成されてなることを特徴とする水底汚水吸引装置。
【請求項２】
上壁に貫通孔を備え、複数の側壁に開口部を有してなる水底に設置される薄箱状の筐体と、前記貫通孔の上方に取り付けられ筐体内に流入する汚水を吸引するための水中ポンプとで構成されてなることを特徴とする水底汚水吸引装置。
【請求項３】
筐体が、薄箱状筐体の底壁を欠如したものであることを特徴とする請求項１又は２に記載の水底汚水吸引装置。
【請求項４】
筐体が、トレーを天地逆置きした形状のものであることを特徴とする請求項１又は２に記載の水底汚水吸引装置。
【請求項５】
筐体側壁の開口部にゴミの流入を防止するための金網を取り付けてなることを特徴とする請求項１〜４のいずれか１項に記載の水底汚水吸引装置。
【請求項６】
筐体が水耕栽培装置の水槽の水底に常時水没した状態で載置されるものであることを特徴とする請求項１〜５のいずれか１項に記載の水底汚水吸引装置。
【発明の詳細な説明】
【技術分野】
【０００１】
本発明は、用水路、公園の池や溜池、養魚場、あるいは水耕栽培水槽の水底に堆積したヘドロ等の流動性堆積物を含む汚水を吸引排出して水質の清浄化を図る水底汚水吸引装置に関する。
【背景技術】
【０００２】
港湾、河川、湖水等水深のある水域における水底堆積物の撤去には、浚渫船などの大型機械が使用されているが、大型機械が使用できない小川や用水路、公園の池や溜池、養魚場等においては、水抜きした後大勢の人の手によって泥水を汲み出すことで行われ、その模様がテレビニュースに取り上げられ紹介されることもあるほどの大変な作業となっていた。。
これに対して特許文献１には、汚水からの泥土の分離装置として
『［請求項１］下部を逆円錐状に構成したタンク１の側部に、水底に堆積した泥土の掻取装置を備えた吸込管６の上端と、下端を水底に堆積した泥土層上に臨ませてその中途部にサクションポンプ８を備えた吐出管７の上端とを開口させ、これら吸込管６の下端開口と吐出管７の下端開口とを略同一レベルに位置させるとともに、上記タンク１の下方には、スクリュー２を備えた泥土の排出管３を設けてその排出管３の始端を上記タンク１の下端の開口に接続し、その排出管３の他端に、その先端に排出管３の開口を閉め勝手に付勢したカバー５を有する排出用のシュート４を接続し、さらに、上記タンク１内の天井壁１ｃに真空ポンプ１０に連結された吸引管９を開口させてなる水路等の汚水からの泥土の分離装置。
［請求項２］上記タンク１内に液面計１２を設け、この液面計１２と、吸引管路の真空ポンプ１０および吐出管７のサクションポンプ８並びに排出管３に設けたスクリュー２とを連動連結して、タンク１内の液面が上限位置迄上昇したときには、真空ポンプ１０を停止させ、サクションポンプ８およびスクリュー２を作動させ、タンク１内の液面が下限位置に低下したときには、真空ポンプ１０を作動させてサクションポンプ８およびスクリュー２の作動を停止させるようにしたことを特長とする請求項１記載の水路等の汚水からの泥土の分離装置。』が開示されている。
また特許文献２には、水の浄化装置としてその請求項１に、
『［請求項１］給・排水可能なポンプと、吸水口及び排水口を設けた貯水タンクと、この貯水タンク内に設置されるフィルターとからなり、粉塵やヘドロ等が含有された汚水を、前記吸水口から吸引して前記貯水タンク内に貯水し、この貯水された汚水が、前記フィルターを通じて濾過され、その濾過水が、前記排水口を通じて排水される構造にしたことを特徴とする水の浄化装置。』が開示されている。
しかし、これら装置における汚水取込口が特許文献１の場合は泥土の掻取装置を備えた吸込管、特許文献２の場合は吸水管の先端に連結された吸水口であり、いずれの図面にも吸込管、又は吸水管の先端が拡がった形状での表示は見られず、広範な水底の汚水や汚泥を除去するには、常に前記吸込管又は吸水管を移動させなければならず、その移動手段や作業要員の確保が欠かせないという問題がある。
【先行技術文献】
【特許文献】
【０００３】
【特許文献１】特開平０７−２２７５０６号公報
【特許文献２】特開２００７ー１５２２３号公報
【発明の概要】
【発明が解決しようとする課題】
【０００４】
本発明は、上記背景技術の問題点に鑑み、吸水口から離れた広範な領域からの水底汚水を吸水口に導入可能として吸込管や吸水管を頻繁に移動させることなく水底汚水を吸引できる水底汚水吸引装置の提供を課題とする。
【課題を解決するための手段】
【０００５】
本発明者らは上記課題を下記の手段により解決した。
（１）上壁に貫通孔を備え、複数の側壁に開口部を有してなる水底に設置される薄箱状の筐体と、前記貫通孔に上方から筐体内に貫装され筐体内に流入する汚水を吸引するための吸引用パイプと、該吸引パイプに吸水ホースを介して接続された陸上設置の吸水ポンプとで構成されてなることを特徴とする水底汚水吸引装置。
（２）上壁に貫通孔を備え、複数の側壁に開口部を有してなる水底に設置される薄箱状の筐体と、前記貫通孔の上方に取り付けられ筐体内に流入する汚水を吸引するための水中ポンプとで構成されてなることを特徴とする水底汚水吸引装置。
（３）筐体が、薄箱状筐体の底壁を欠如したものであることを特徴とする（１）又は（２）に記載の水底汚水吸引装置。
（４）筐体が、トレーを天地逆置きした形状のものであることを特徴とする（１）又は（２）に記載の水底汚水吸引装置。
（５）筐体側壁の開口部にゴミの流入を防止するための金網を取り付けてなることを特徴とする（１）〜（４）のいずれか１項に記載の水底汚水吸引装置。
（６）筐体が水耕栽培装置の水槽の水底に常時水没した状態で載置されるものであることを特徴とする（１）〜（５）のいずれか１項に記載の水底汚水吸引装置。
【発明の効果】
【０００６】
本発明の水底汚水吸引装置によって下記の効果が発揮できる。
〈１〉上壁に貫通孔を備え、複数の側壁に開口部を有してなる水底に設置される薄箱状の筐体と、前記貫通孔に上方から筐体内に貫装され筐体内に流入する汚水を吸引するための吸引用パイプと、該吸引パイプに吸水ホースを介して接続された陸上設置の吸水ポンプとで構成されているので、
水深、岸からの離間距離等の作業条件によって適合する吸水ポンプが選択使用でき、作業効率の向上が図れる。
〈２〉上壁に貫通孔を備え、複数の側壁に開口部を有してなる水底に設置される薄箱状の筐体と、前記貫通孔の上方に取り付けられ筐体内に流入する汚水を吸引するための水中ポンプとで構成されているので、
水中ポンプの吐出口に吸水ホースを接続すれば、水中に即投入して使用できる。
【０００７】
〈３〉筐体が、薄箱形状のもの、薄箱形状の筐体の底壁を欠如したもの、又はトレーを天地逆置きした形状のものが用意されているので、
水底の状況に対応していずれかを選択使用でき、筐体底部が当接する水底のヘドロ等を含む汚水を効率よく吸引して排出できる。
〈４〉筐体側壁の開口部にゴミの流入を防止するための金網を取り付けているので、
水中に浮遊するゴミが筐体内に吸引され、筐体の上壁に穿設された貫通孔や、貫通孔に貫装された吸引パイプ、または水中ポンプへの付着による吸引機能の低下が防止でき、安定した水底汚水吸引が実施できる。
〈５〉筐体が水耕栽培装置の水槽の水底に常時水没した状態で載置されるものであることから、
隣接する２つの側壁に設けられた筐体を、該開口部が水槽壁面に接近して向き合うよう配設すれば前記水槽上に載置された植物栽培槽へサイフォン装置を介して間欠循環供給される培養液が前記植物栽培槽から水槽に滴下する際に発生する泡が筐体内に取り込まれることがなく、サイフォン装置の間欠循環供給が安定して実施できる。
【図面の簡単な説明】
【０００８】
【図１】本発明実施例１の水底汚水吸引装置の構成図
【図２】本発明実施例２の水底汚水吸引装置の構成図
【図３】本発明実施例３の水底汚水吸引装置の構成図
【図４】本発明実施例４の水底汚水吸引装置の構成図
【図５】本発明実施例５の水底汚水吸引装置の構成図
【図６】本発明実施例６の水底汚水吸引装置の構成図
【図７】本発明の水底汚水吸引装置に用いられる筐体３種の斜視図、（ａ）薄箱形状型筐体、（ｂ）薄箱の底壁を欠如した底壁欠如型筐体、（ｃ）トレーを天地逆置きにした形状のトレー天地逆置き型筐体
【図８】隣接する２つの側面に開口部を有する筐体３種の斜視図、（ａ）薄箱形状型筐体、（ｂ）薄箱の底壁を欠如した底壁欠如型筐体、（ｃ）トレーを天地逆置きにした形状のトレー天地逆置き型筐体
【図９】本発明を水耕栽培装置に適用した実施例の横断面図、（ａ）相対する２面に開口部を有する筐体を貯水槽の中央に配置した実施例、（ｂ）隣接した２面に開口部を有する筐体を貯水層のコーナーに設置した実施例
【発明を実施するための形態】
【０００９】
本発明の水底汚水吸引装置を実施するための形態を実施例の図に基づいて説明する。
図１は本発明実施例１の水底汚水吸引装置の構成図、図２は本発明実施例２の水底汚水吸引装置の構成図、図３は本発明実施例３の水底汚水吸引装置の構成図、図４は本発明実施例４の水底汚水吸引装置の構成図、図５は本発明実施例５の水底汚水吸引装置の構成図、図６は本発明実施例６の水底汚水吸引装置の構成図であり、図７は本発明の水底汚水吸引装置に用いられる筐体３種の斜視図で（ａ）は薄箱形状型筐体、（ｂ）は薄箱の底壁を欠如した底壁欠如型筐体、（ｃ）はトレーを天地逆置きにした形状のトレー天地逆置き型筐体を示す。
図において１は水底汚水吸引装置、２は薄箱形状の筐体、３は底壁欠如型の筐体、４トレー天地逆置き型筐体で、５は吸水ポンプ、６は水中ポンプ、６ａは水中ポンプの吐出口を、そして１１は各筐体側壁に設けられた開口、１２は各筐体の上壁に穿設された貫通孔、１３は貫通孔に貫装された吸引用パイプ、１４は開口部に設けられた金網、１５は吸引用パイプと吸水ポンプとを接続する吸水ホース、１６は水中ポンプの排水パイプに接続された排水ホース、１７は水中ポンプのモータに電力を供給する電力ケーブルを示す。
また２０は水耕栽培装置、２１は水槽、２２は植物栽培層、２３はサイフォン装置を示す。
【実施例】
【００１０】
本発明の水底汚水吸引装置第１の実施例は、図１に示すように、側壁の一部に開口部１１を有し、上壁には貫通孔１２を有する薄箱形状の筐体２と、前記貫通孔１２に上方から筐体２内に貫装されて該筐体２内に流入する汚水を吸引するための吸引用パイプ１３と、該吸引用パイプ１３に接続される吸水ホース１５と、該吸水ホースと吸引用パイプを介して筐体内に流入する汚水を吸引排出する陸上に設置された吸水ポンプ５とで構成されてなるものである。
そして第２の実施例は、図２に示すように実施例１の薄箱形状の筐体２に換えて薄箱形状筐体の底壁を欠如した底壁欠如型筐体３を、そして第３の実施例は、トレーを天地逆置きした形状のトレー天地逆置き型筐体４としたものである。
したがって上記第１〜第３の実施例はいずれも吸水ポンプ５が陸上に配設されるので、水底の深度や、ヘドロ混入度の等水底汚水の状況に適応して吸水ポンプ５を選択でき、広い水域での活用が期待できる。
【００１１】
本発明の水底汚水吸引装置第４の実施例は、図４に示すように、側壁の一部に開口部１１を有し、上壁には貫通孔１２を備えてなる水底に設置される薄箱形状の筐体２と、前記薄箱形状の筐体２の貫通孔１２の上方に取り付けられ、筐体２内に流入する汚水を吸引した水中ポンプ６と、前記水中ポンプ６の吐出口６ａに接続され水中ポンプ６が吸引し吐出した汚水を陸上へ排出する排水ホース１６と、水中ポンプ６を駆動するモータ（図示せず）と、該モータへ電力供給するための電力ケーブル１７とで構成されている。
そして第５の実施例は、図５に示すように実施例４の薄箱形状の筐体２に換えて薄箱形状筐体の底壁を欠如した底壁欠如型筐体３を、そして第６の実施例は、トレーを天地逆置きした形状のトレー天地逆置き型筐体４を用いたものである。なお筐体は比重の大きいものが好ましく、例えば鉄、銅、ニッケル、クロム、それらの合金、鉛、セラミック、ガラス等であってよい。
【００１２】
実施例１〜６で使用される各筐体２、３、４の斜視図を図７に示す。いずれも上壁に貫通孔１２が穿設され、複数の側壁の一部に開口部１１が設けられ．該開口部１１には、水中に浮遊するゴミが各筐体２、３、４内に吸引され前記貫通孔１２に貫装された吸引用パイプ１３を塞ぐことによる吸引機能低下を防止する金網１４が設けられている。
本水底汚水吸引装置が、小川や用水路などの水流のある場所で使用するものにあっては、開口部１１を筐体内に汚水が流入しやすいよう流れの上下に対応する２面に設けることが好ましく、公園の池や養魚場など流れのない静水域で使用するものにあっては汚水を四囲から誘引できるよう４面に設けることが好ましい。
【００１３】
本発明の他の実施例として、筐体が水耕栽培装置２０の貯水槽２１の水底に常時水没した状態で載置されるものがある。
この水耕栽培装置２０は、図９に示すように、栽培水を貯留する貯水槽２１の水底にトレー天地逆置き型の筐体３の貫通孔上に取り付けられた水中ポンプ６の吐出口６ａが、貯水槽上に着脱可能に載置固定されてなる植物栽培槽２２の底壁に設けられた貫通孔の周壁上に立設されたサイフォン装置２３の中央部に貫通され、その上端部をサイフォン装置２３の上面外に突出してなるものであり、筐体３の相対する２つの側壁に開口部が設けられている。
またこの水耕栽培装置の他の実施例として、図８に示すように水耕栽培装置の水底に配設される筐体２の隣接した２つの側壁に開口部が設けられ、該開口部が設けられた側壁を水槽のコーナーの壁面に接近させ設置し、かつ水中ポンプは前記植物栽培槽２２の底壁に設けられたサイフォン装置２３の直下に位置するよう筐体３に取り付けられている。
前記貯水槽２１上に載置された植物栽培槽２２へサイフォン装置２３を介して間欠循環供給される培養液が前記植物栽培槽２２から水貯水槽２１内に滴下する際に発生する泡が筐体３内に取り込まれることがなく、サイフォン装置２３の間欠循環供給が安定して実施できるので好ましい。
【００１４】
本発明は水底汚水吸引装置としたが、吸引した汚水を特許文献１のような汚水からヘドロを分離する装置を並接して清浄化された水を還流させるよう構成されてもよい。
【符号の説明】
【００１５】
１：水底汚水吸引装置
２：薄箱形状の筐体
３：底壁欠如型の筐体
４：トレー天地逆置き型筐体
５：吸水ポンプ
６：水中ポンプ
６ａ：水中ポンプの吐出口
１１：筐体側壁に設けられた開口
１２：筐体の上壁に穿設された貫通孔
１３：貫通孔に貫装された吸引用パイプ
１４：開口部に設けられた金網
１５：吸引用パイプと吸水ポンプとを接続する吸水ホース
１６：水中ポンプの吐出口に接続された排水ホース
１７：水中ポンプのモータに電力を供給する電力ケーブル
２０：水耕栽培装置
２１：貯水槽
２２：植物栽培層
２３：サイフォン装置
【図１】
2019218918.tif 000003
【図２】
2019218918.tif 000004
【図３】
2019218918.tif 000005
【図４】
2019218918.tif 000006
【図５】
2019218918.tif 000007
【図６】
2019218918.tif 000008
【図７】
2019218918.tif 000009
【図８】
2019218918.tif 000010
【図９】
2019218918.tif 000011